(57)【要約】【課題】工具を用いることなく配管を吊持できる施工作業性が良好で製作容易なパイプハンガーを提供する。【解決手段】他方の被係止部３２の係止状態をロックするために他方の係止部５２の外側に回動自在に設けられるロック部材１０と、吊持部材７の固定部６に形成されたナット孔６ａに下方から挿入されるヘッド付きナット部材１４の脱落を防止するために他方の係止部５２の内側に設けられる脱落防止部材８と、が締結部材１２により吊持部材７の他方の係止部５２に取り付けられている。【選択図】  図１
2005249027.tif 000002
【特許請求の範囲】
【請求項１】
下部において互いに回動自在に連結されて配管を挟持する一対の挟持部、及び、該挟持部の上方に連なる被係止部、を有する挟持体と、
前記挟持体の一方の被係止部を係脱自在かつ脱落不能に係止させる一方の係止部、前記挟持体の他方の被係止部を係脱自在に係止させる他方の係止部、及び、両方の前記係止部の上方に連なり建屋に取り付けられた支持部材に固定可能な固定部、を有する吊持部材と、を備え、
前記他方の被係止部の係止状態をロックするために前記他方の係止部の外側に回動自在に設けられるロック部材と、前記吊持部材の固定部に形成されたナット孔に下方から挿入されるヘッド付きナット部材の脱落を防止するために前記他方の係止部の内側に設けられる脱落防止部材と、が締結部材により前記吊持部材の他方の係止部に取り付けられていることを特徴とするパイプハンガー。
【請求項２】
前記他方の係止部の内側に設けられる脱落防止部材は、前記挟持体の一方の挟持部に配管を仮止めするための仮止部を備えていることを特徴とする請求項１に記載のパイプハンガー。
【請求項３】
前記他方の係止部の下端に、前記挟持体の一方の挟持部に載置された配管を仮止めするための仮止部分を設けたことを特徴とする請求項１に記載のパイプハンガー。
【請求項４】
前記両方の係止部は所定の間隔をおいて平行に設けられ、前記両方の被係止部は、前記両方の係止部の外側に係止されることを特徴とする請求項１乃至３の何れかに記載のパイプハンガー。
【請求項５】
前記吊持部材の一方の係止部には、上向きに折曲された係止片が形成され、前記挟持体の一方の被係止部には開口が形成され、前記開口の上縁が前記係止片に係止されることを特徴とする請求項１乃至４の何れかに記載のパイプハンガー。
【請求項６】
前記上向きに折曲された係止片の上部は、前記一方の被係止部に形成された開口の前記係止片への係止を容易とするために外開き状に形成されたことを特徴とする請求項５に記載のパイプハンガー。
【発明の詳細な説明】
【技術分野】
【０００１】
本発明は、集合住宅等の建屋の天井裏等に配設される配管を吊持するためのパイプハンガーに関する。
【背景技術】
【０００２】
建屋の天井裏等に配設される給排水用等の配管は、従来、例えば、図９に示すようなパイプハンガー５１で吊持されていた。このパイプハンガー５１は、配管（図示省略）を挟持するためにヒンジ５９によって互いに連結された一対の挟持部５２，５２、及び、その挟持部５２，５２の上方に連なる吊り下げ部５３，５３、を有する挟持体５４と、建屋に取り付けられる吊り具５５と、その吊り具５５に、両挟持体５４，５４を連結固定するためのボルト５６及びナット５７と、を備えている。
【０００３】
このようなパイプハンガー５１では、例えば、まず、建屋に取り付けられた支持部材に設けられているアンカーボルト（図示省略）にフランジ付きナット５８を螺合締結することにより、吊り具５５の上部を支持部材に固定する。次いで、両挟持部５２，５２間に配管を挟持させて、ボルト５６とナット５７を締結するようにして施工される。
【発明の開示】
【発明が解決しようとする課題】
【０００４】
上述のような従来のパイプハンガー５１は、ボルト５６やナット５７等の締結部材を必要として部品点数が多い上に、現場での施工性がよくないという難点がある。即ち、施工に際しては、ボルト５６とナット５７を締結するための工具が必ず必要とされ、かつ、その締結作業は、通常、足場を必要とする高所や狭隘な場所で行われるため、容易でない場合が多かった。そのために、部材費を含めたトータルでの施工コストが高くなるという問題があった。また、施工時に、ボルト５６やナット５７が脱落してしまうようなこともあった。
【０００５】
また、吊り具５５を建屋に取り付けるためのフランジ付きナット５８の脱落を防止するために、吊り具５５の上部の両側壁を両外側からプレス加工して内突状の突起５５ａ，５５ａを形成していたが、このような加工は大変面倒で手間がかかるものであった。さらに、配管の施工は一般に高所で行われることが多いため、安全上からも、配管をボルト５６とナット５７で固定するまでに、一時的に一方の挟持部５２に配管を安定な仮置き状態で吊持させておけることも望まれる。
【０００６】
本発明は、このような実情に鑑みてなされ、工具を用いることなく配管を吊持できる施工作業性が良好で製作容易なパイプハンガーを提供することを目的とする。
【課題を解決するための手段】
【０００７】
本発明に係るパイプハンガーは、下部において互いに回動自在に連結されて配管を挟持する一対の挟持部、及び、該挟持部の上方に連なる被係止部、を有する挟持体と、前記挟持体の一方の被係止部を係脱自在かつ脱落不能に係止させる一方の係止部、前記挟持体の他方の被係止部を係脱自在に係止させる他方の係止部、及び、両方の前記係止部の上方に連なり建屋に取り付けられた支持部材に固定可能な固定部、を有する吊持部材と、を備え、
前記他方の被係止部の係止状態をロックするために前記他方の係止部の外側に回動自在に設けられるロック部材と、前記吊持部材の固定部に形成されたナット孔に下方から挿入されるヘッド付きナット部材の脱落を防止するために前記他方の係止部の内側に設けられる脱落防止部材と、が締結部材により前記吊持部材の他方の係止部に取り付けられている。
【０００８】
このような構成によれば、ヘッド付きナット部材が、脱落防止部材によって脱落が防止さているため、建屋の支持部材に対して吊持部材を取り付けるための施工を確実に行うことができる。そして、建屋に固定した吊持部材の一方の係止部に、挟持体の一方の被係止部を係止させた後、両挟持部間に配管を挟持させて、挟持体の他方の被係止部を吊持部材の他方の係止部に係止させ、その係止状態をロック部材によってロックすれば、工具を用いることなく、配管をパイプハンガーに安定に吊持させることができる。また、ロック部材と脱落防止部材が共に、締結部材によって、吊持部材の他方の係止部に取り付けられるため、その締結部材に、例えば、リベットを用いれば、簡単な一度のリベットかしめ加工によってロック部材と脱落防止部材を容易に取り付けることができる。
【０００９】
このようなパイプハンガーでは、他方の係止部の内側に設けられる脱落防止部材に、挟持体の一方の挟持部に配管を仮止めするための仮止部を設けてもよい。このようにすれば、配管を安定な仮止め状態で保持することができるため、高所作業においても安全性を確保することができる。
【００１０】
前記他方の係止部の下端に、前記挟持体の一方の挟持部に載置された配管を仮止めするための仮止部分を設けてもよい。この場合、例えば、その下端を配管の上部に接触するまで延長して配管の挿入を可能とするために面取り状に形成すればよい。
【００１１】
両方の係止部を所定の間隔をおいて平行に設け、前記両方の被係止部を、前記両方の係止部の外側に係止させるようにしてもよい。
【００１２】
吊持部材の一方の係止部には、上向きに折曲された係止片を形成し、前記挟持体の一方の被係止部には開口を形成し、前記開口の上縁が前記係止片に係止されるようにしてもよい。
【００１３】
さらに、上向きに折曲された係止片の上部を、前記一方の被係止部に形成された開口の前記係止片への係止を容易とするために外開き状に形成してもよい。
【発明の効果】
【００１４】
本発明に係るパイプハンガーは、脱落防止部材によってヘッド付きナット部材の脱落が防止さているため、建屋の支持部材に対して吊持部材を取り付けるための施工を確実に行うことができる。そして、建屋に固定した吊持部材の一方の係止部に、挟持体の一方の被係止部を係止させた後、両挟持部間に配管を挟持させて、挟持体の他方の被係止部を吊持部材の他方の係止部に係止させ、その係止状態をロック部材によってロックすれば、配管をパイプハンガーに安定に吊持させることができる。
【００１５】
従って、工具を要することなく、配管を吊持することができ施工性が著しく向上する。また、別途、締結部材を用いる必要がないため、施工作業中に締結部材等の部品が脱落するようなこともなく、作業を滞りなく行え、作業中の安全性も向上する。そして、ロック部材と脱落防止部材が共に、締結部材によって、吊持部材の他方の係止部に取り付けられるため製作が容易となる。
【発明を実施するための最良の形態】
【００１６】
以下に、本発明の最良の実施の形態に係るパイプハンガーについて図面を参照しつつ詳細に説明する。
〔実施の形態１〕
図１（ａ）はパイプハンガー１Ａの正面図、（ｂ）は要部側面図、（ｃ）は要部平面図を示す。図示のように、このパイプハンガー１Ａは、基本的には、配管（図示省略）を挟持するための挟持体４と、建屋に取り付けられた支持部材（図示省略）に固定される吊持部材７と、で構成される。
【００１７】
挟持体４は、一対の挟持部２１，２２、及び、該挟持部２１，２２の上方に連なる被係止部３１，３２を有している。その一対の挟持部２１，２２は、所定幅の板金材の曲げ加工により対向し合うようにそれぞれ略半円弧状に形成され、下端部においてヒンジ１３により相対回動自在に連結される。
【００１８】
他方、吊持部材７は、図２（ａ）〜（ｄ）に示すように、所定幅の板金材の中央に平坦部分を残して、その両側を下方に折曲して所定の間隔をおいて平行に垂下させて互いに対向し合う両側壁７１，７２を形成し、その下部に、挟持体４の両被係止部３１，３２を係脱自在に係止させる係止部５１，５２を設け、他方の側壁７２の上部にはリベット孔７２ａを形成し、上方の平坦部分には、ナット孔６ａを有する固定部６を設けている。
【００１９】
その一方の側壁７１の下部に形成される係止部５１は、一部分を切り起こして上向きに折曲された係止片５１ａを有し、かつ、その係止片５１ａの上部が若干外開き状に形成されている。他方の係止部５２は、一部分を切り起こして横方向に向けて折曲された係止片５２ａを有している。この両係止片５１ａ，５２ａに係止される挟持体４の被係止部３１，３２は、それぞれ矩形状の開口３１ａ，３２ａ（図１参照）を有している。
【００２０】
そして、固定部６のナット孔６ａに下方から挿入したフランジ付きのナット１４を下方から支持する脱落防止部８１と、一方の挟持部２１に載置された配管を仮置き状態に支持するための仮止部８２を備えた脱落防止部材８と、ロック部材１０とが、他方の側壁７２のリベット孔７２ａに挿通されるリベット（本発明の締結部材）１２により、側壁７２の内外両側に取り付けられている。このナット１４を、建屋の天井裏等に取り付けられた支持部材に嵌め込まれているアンカーボルト（図示省略）に螺合締結することで吊持部材７を建屋に固定することができる。
【００２１】
脱落防止部材８は、板部材からなり、図３（ａ）〜（ｃ）に示すように、板部材の上部を略９０°片方に折曲して形成され、そのナット１４に螺合させるボルトを挿通させるための割り溝８１ａを有し、ナット１４の下部に当接し又は近接した状態に配置される。仮止部８２は、板部材の下部を上方に向けて折り返して形成され、吊持部材７に吊持された一方の挟持部２１に載置された配管Ｐに線接触状態で付勢当接するか抜け止め可能な程度に極めて近接した状態対応する。そして、他方の側壁７２のリベット孔７２ａに貫挿されるリベット１２を挿通させるためのリベット孔８ａが脱落防止部８１の下方に形成されている。
【００２２】
吊持部材７の他方の側壁７２の外側には、リベット１２によって回動自在に支持されるロック部材１０が設けられており、他方の被係止部３２の係止片５２ａに対する係止状態をロックすることができる。ロック部材１０は、操作片１０ａを有し、他方の側壁７２の外面に形成された２つのダボｄ1 ，ｄ2 によって他方の被係止部３２の係止状態をロックするロック位置（図１（ｂ）の実線）と、ロック解除位置（図１（ｂ）の二点鎖線）と、にそれぞれ仮り固定できるようになっている。ダボｄ1 は被係止部３２が乗り越えられない平頭ダボ、ｄ2 は、被係止部３２が乗り越え可能な丸頭ダボである。これらのダボｄ1 ，ｄ2 はプレス加工によって容易に形成することができる。
【００２３】
以上のように構成されるパイプハンガー１Ａでは、まず、建屋の支持部材に固定した吊持部材７の一方の係止片５１ａに対して、挟持体４の一方の被係止部３１の開口３１ａを、外側から嵌め込むことで、その開口３１ａの上縁を一方の係止片５１ａに対して係脱自在かつ脱落不能に係止させる。その際に、係止片５１ａの上部が若干外開き状に形成されているため、一方の開口３１ａの係止片５１ａへの嵌め込み作業が容易となる。なお、この時、他方の挟持部２２及び被係止部３２は、一方の挟持部２１及び被係止部３１に対して開かれた開放状態となる。
【００２４】
次いで、一方の挟持部２１に対して配管Ｐを嵌め込むと、脱落防止部材８の仮止部８２が配管Ｐに当接して配管Ｐが安定な仮置き状態で挟持部２１に支持される。配管Ｐを嵌め込む時には、例えば、配管Ｐの外周の一部が若干変形して仮止部８２をくぐり抜けることで安定な仮止状態で仮止部８２と当接する。そして、挟持体４の他方の被係止部３２の開口３２ａを、吊持部材７の他方の係止片５２ａに係止させ、その係止状態をロック部材１０によってロックすれば、配管Ｐをパイプハンガー１Ａに安定な状態で吊持させることができる。なお、仮止状態では、配管Ｐの外周は、必ずしも仮止部８２に当接する必要はなく、配管Ｐと仮止部８２は、抜け止め可能な程度に極めて近接した状態に僅かの隙間を有して対応してもよい。
【００２５】
従って、工具を要することなく、また、熟練を要することもなく、容易に配管をパイプハンガーに吊持させることができ、施工性が著しく向上する。また、従来のような締結部材を別途必要としないため、部品点数が少なくなり、パイプハンガー１Ａを安価に提供することができ、部材費を含めたトータルでの施工コストを著しく低減することができる。なお、配管Ｐが変形しやすい場合には、その嵌め込み時に、外周の一部が変形することにより嵌め込みが許容されるが、脱落防止部材８を薄板材で形成して適度の弾性を付与することで、たとえ配管Ｐの剛性が高くても、脱落防止部材８の仮止部８２が変形することによって配管Ｐの嵌め込みが許容されるようにすることができる。
【００２６】
〔実施の形態２〕
図４（ａ）はパイプハンガー１Ｂの正面図、図４（ｂ）は要部平面図を示し、図５（ａ）〜（ｃ）は脱落防止部材８を示す。なお、前実施の形態と同一部品又は同等部品については同一符号を付し、その説明を省略する。この点については、以下の各実施の形態においても同じである。
【００２７】
このパイプハンガー１Ｂでは、図示のように、脱落防止部材８の仮止部８２は、板部材の下部を片方（配管Ｐの嵌め込み方向）に湾曲させて形成され、一方の挟持部２１に対して配管Ｐを嵌め込む時には、例えば、配管Ｐの外周の一部が若干変形して仮止部８２に当接することによって安定な仮止状態となり、たとえ配管Ｐに多少の外力が作用しても容易に抜け落ちることがない。
【００２８】
この場合、配管Ｐが変形しやすいと、その嵌め込み時に、外周の一部が変形することにより嵌め込みが許容されるが、脱落防止部材８を薄板材で形成して適度の弾性を付与することで、たとえ配管Ｐの剛性が高くても、脱落防止部材８の仮止部８２が変形することによって配管Ｐの嵌め込みが許容される。なお、仮止部８２を配管Ｐの嵌め込み方向に向けて湾曲させているため、配管Ｐを容易に嵌め込むことができる。その他の点については、前実施の形態と同様であり説明を省略する。
〔実施の形態３〕
【００２９】
図６（ａ）はパイプハンガー１Ｃの正面図、図６（ｂ）は要部平面図を示す。本実施の形態３では、板部材を片方に向けて湾曲させて形成した脱落防止部材８の仮止部８２を、配管Ｐの外周面に沿うようにさらに湾曲させ、配管Ｐと面接触状態となるようにしている。これにより、配管Ｐの仮止め状態がより一層安定化する。
〔実施の形態４〕
【００３０】
図７（ａ）はパイプハンガー１Ｄの正面図、図７（ｂ）は要部側面図、図７（ｃ）は要部平面図を示す。本実施の形態４では、吊持部材７の他方の側壁７２の下端に、挟持体４の一方の挟持部２１に載置された配管Ｐを仮止めするための仮止部分７２ａを設けている。従って、脱落防止部材８は脱落防止部８１のみを有しており（仮止部８２は存在しない）、この脱落防止部材８とロック部材１０が、リベット１２によって他方の側壁７２に取り付けられる。その他の点については、前実施の形態と同様であり説明を省略する。
【００３１】
この仮止部分７２ａは、側壁７２の下端を略円弧状に形成してその端縁に面取りを施しており、一方の挟持部２１に配管を嵌め込む際に、例えば、配管Ｐの外周の一部が若干変形して仮止部分７２ａを容易にくぐり抜けて安定な仮止状態となる。仮止状態では、配管Ｐが仮止部分７２ａに線接触状態で付勢当接するか、抜け止め可能な程度に極めて近接した状態で対応するようにすればよい。
〔実施の形態５〕
【００３２】
図８（ａ）はパイプハンガー１Ｅの正面図、図８（ｂ）は要部右側面図、図８（ｃ）は要部平面図を示す。本実施の形態５では、吊持部材７の他方の側壁７２の下端に設けた仮止部分７２ａを若干内方（配管Ｐの嵌め込み方向）に向けて折曲状に形成している。これにより、配管Ｐを嵌め込む時に、配管Ｐの変形とくぐり抜け動作が容易となり、嵌め込みやすくなる。仮止状態では、配管Ｐが仮止部分７２ａに線接触状態で付勢当接するか、抜け止め可能な程度に極めて近接した状態で対応するようにすればよい。その他の点については、前実施の形態と同様であり説明を省略する。
【００３３】
なお、本発明は、以上の実施の形態に限定されることなく、発明の要旨を逸脱しない限りにおいて、適宜、必要に応じて、改良変更等は自由であり、例えば、脱落防止部材８の仮止部８２や仮止部分７２ａは、配管Ｐを仮止め状態に保持することができればよく、その構成や形状の如何を問わない。また、締結部材は、リベットに限られることなく、抜け止め措置を施したボルトとナット等であってもよい。
【図面の簡単な説明】
【００３４】
【図１】本発明の実施の形態１に係るパイプハンガーの構成説明図で、（ａ）は正面図、（ｂ）は要部側面図、（ｃ）は要部平面図である。
【図２】同吊持部材を示し、（ａ）は正面図、（ｂ）は左側面図、（ｃ）は右側面図、（ｄ）は平面図である。
【図３】同脱落防止部材を示し、（ａ）は正面図、（ｂ）は側面図、（ｃ）は平面図である。
【図４】本発明の実施の形態２に係るパイプハンガーの構成説明図で、（ａ）は正面図、（ｂ）は要部平面図である。
【図５】同脱落防止部材を示し、（ａ）は正面図、（ｂ）は側面図、（ｃ）は平面図である。
【図６】本発明の実施の形態３に係るパイプハンガーの構成説明図で、（ａ）は正面図、（ｂ）は要部平面図である。
【図７】本発明の実施の形態４に係るパイプハンガーの構成説明図で、（ａ）は正面図、（ｂ）は要部側面図、（ｃ）は要部平面図である。
【図８】本発明の実施の形態５に係るパイプハンガーの構成説明図で、（ａ）は正面図、（ｂ）は要部側面図、（ｃ）は要部平面図である。
【図９】従来のパイプハンガーの構成の一例を示す説明図である。
【符号の説明】
【００３５】
４…挟持体、６…固定部、６ａ…ナット孔、７…吊持部材、８…脱落防止部材、１０…ロック部材、１２…締結部材、１４…ヘッド付きナット部材、２１，２２…挟持部、３１，３２…被係止部、３１ａ，３２ａ…開口、５１，５２…係止部、７２ａ…仮止部分、８１…脱落防止部、８２…仮止部
【図１】
2005249027.tif 000003
【図２】
2005249027.tif 000004
【図３】
2005249027.tif 000005
【図４】
2005249027.tif 000006
【図５】
2005249027.tif 000007
【図６】
2005249027.tif 000008
【図７】
2005249027.tif 000009
【図８】
2005249027.tif 000010
【図９】
2005249027.tif 000011